(57)【特許請求の範囲】
【請求項１】
透明材料により形成され一方に開口され被包装物を収納する収納部を有する本体部と、収納部の開口を覆う台紙とを備え、本体部の周縁部の４つの辺部のうち１の辺部を除く３つの辺部に折り重ねた折曲代と周縁部との間に台紙の周縁部を挿入して包装用空間を形成する透明包装容器であって、
上記周縁部の上記１の辺部のほぼ中央部に形成された孔の開口縁の全周に後方へ突出した嵌入片が形成され、該嵌入片を上記台紙に形成された吊り下げ孔に内嵌させ、
上記台紙の周縁部に切り込みを設けて係合片を形成し、
上記折曲代の一部を上記切り込みから係合片の内側に挿入して台紙の周縁部の本体部側に位置させ、
上記台紙の下端の連結部に挿入切り込みが形成され、該挿入切り込みに上記辺部の折曲代が挿入される
ことを特徴とする透明包装容器。
【請求項２】
上記台紙を２枚重ね状に形成し、上記切り込み及び係合片を上記折曲代側に位置した台紙に形成した
ことを特徴とする請求項１に記載の透明包装容器。
【請求項３】
本体部の周縁部の４辺部のうち１辺部を除く３つの辺部に折曲代が形成され、
折曲代が形成されていない１辺部に隣接した２辺部に形成された折曲代が台紙に形成された切り込みに挿入され、
残りの１辺部に形成された折曲代の少なくとも一部が２枚の台紙の間に挟まれるように位置した
ことを特徴とする請求項２に記載の透明包装容器。
【請求項４】
係合片の内側に挿入された折曲代と係合片との間から被包装物に関する保証書を２枚の台紙の間に挿入し、該保証書の一部を折曲代側の台紙の折曲代側に位置させた
ことを特徴とする請求項２に記載の透明包装容器。
【請求項５】
係合片の内側に挿入された折曲代と係合片との間から被包装物に関する保証書を２枚の台紙の間に挿入し、該保証書の一部を該保証書の一部を折曲代側の台紙の折曲代側に位置させた
ことを特徴とする請求項３に記載の透明包装容器。
【請求項６】
係合片が形成された台紙の折曲代側の面のうち上記保証書が挿入された部位の近傍に保証書が在中していることを示す表示を付した
ことを特徴とする請求項４に記載の透明包装容器。
【請求項７】
係合片が形成された台紙の折曲代側の面のうち上記保証書が挿入された部位の近傍に保証書が在中していることを示す表示を付した
ことを特徴とする請求項５に記載の透明包装容器。
【発明の詳細な説明】
【０００１】
【発明の属する技術分野】
本発明は新規な透明包装容器に関する。詳しくは、透明材料により形成され一方に開口され被包装物を収納する収納部を有する本体部と、収納部の開口を覆う台紙とを備え、本体部の周縁部に折り重ねた折曲代と周縁部との間に台紙の周縁部を挿入して包装用空間を形成する透明包装容器において、台紙の本体部からの脱落を防止する技術に関する。
【０００２】
【従来の技術】
各種の商品、例えば、オーディオ関連の小型商品や家庭用品等を収納し、収納された商品を販売等の目的で陳列するための透明包装容器がある。
【０００３】
このような従来の透明包装容器ａを図９乃至図１１に示す。
【０００４】
透明包装容器ａは本体部ｂと台紙ｃとから成り、本体部ｂは収納部ｄと周縁部ｅにより構成されている。
【０００５】
本体部ｂは全体が薄肉に形成され、その収納部ｄは一方に開口され一方向に稍長い箱状を為し、収納部ｄの開口縁ｆからは外方に張り出した周縁部ｅが一体に設けられている（図９及び図１１参照）。
【０００６】
本体部ｂは収納部ｄ内に収納される商品が外部から見えるようにするために透明材料により形成され、この材料としては、一般に、ポリスチレン又はポリエチレンテレフタレートが用いられている。
【０００７】
周縁部ｅのうち長手方向に沿う２つの外側縁の一端部を除いた部分及び長手方向における一端部の中央部にはそれぞれ内方に折り返された折曲代ｇ、ｇ、ｇが形成されている（図１０及び図１１参照）。
【０００８】
台紙ｃは上記周縁部ｅの外形状と略同じ大きさの長方形状を為し、その周縁部のうち長手方向における一端を除いた部分が本体部ｂの周縁部ｅと折曲代ｇ、ｇ、ｇとの間に挟持状に位置され、これにより収納部ｄの開口が台紙ｃにより完全に覆われた状態となる（図１０参照）。
【０００９】
そして、台紙ｃは本体部ｂに対して着脱自在とされている。即ち、台紙ｃの本体部ｂへの取り付けは、台紙ｃの長手方向に沿う両側縁を本体部ｂの折曲代ｇ、ｇ、ｇが形成されていない端部側から周縁部ｅと折曲代ｇ、ｇとの間に挿入していき、最後に、台紙ｂの長手方向における一端縁を本体部ｂの周縁部ｅと折曲代ｇとの間に挿入することによって為され、また、台紙ｃの本体部ｂからの取り外しは、台紙ｃの側縁部を本体部ｂと折曲代ｇ、ｇ、ｇとの間から引き抜くことにより為される。
【００１０】
【発明が解決しようとする課題】
ところで、上記本体部ｂの折曲代ｇ、ｇ、ｇは、周縁部ｅとの境界部をニクロム線ヒーターで加熱軟化させると共に該軟化した部分で折り曲げて形成する、という簡便な加工技術によって形成するため、十分に折り曲げることが出来ず、そのために、どうしても浮き気味になる、即ち、周縁部ｅとの間の間隔が開き気味になるという問題がある。
【００１１】
そして、折曲代ｇ、ｇ、ｇが浮き気味になると、台紙ｃが外れやすく成り包装の信頼性が損なわれるという問題がある。
【００１２】
また、折曲代ｇ、ｇ、ｇが浮き気味になっていると、多数のものを箱詰めしたり又は多数が箱詰めされているものを取り出したりする際に、隣接している透明包装容器ａ、ａの折曲代ｇ、ｇ、・・・同士が引っかかりやすく、折曲代ｇ、ｇ、・・・が破損したり、又は、透明包装容器ａ、ａ、・・・が途中でつかえたりするという問題があった。
【００１３】
そこで、本発明は、折曲代が浮き気味になることを防止して、折曲代が浮き気味になることによって生じる台紙の脱落や折曲代の引っかかりを防止することを課題とする。
【００１４】
【課題を解決するための手段】
本発明は、上記した課題を解決するために、本体部の周縁部の１の辺部のほぼ中央部に形成された孔の開口縁の全周に後方へ突出した嵌入片を形成し、該嵌入片を台紙に形成された吊り下げ孔に内嵌させ、台紙の周縁部に切り込みを設けて係合片を形成し、折曲代の一部を切り込みから係合片の内側に挿入して台紙の周縁部の本体部側に位置させ、台紙の下端の連結部に挿入切り込みを形成し、該挿入切り込みに辺部の折曲代が挿入されるようにしたものである。
【００１５】
従って、折曲代の浮き上がりが防止されると共に、台紙の本体部からの脱落が防止される。
【００１６】
【発明の実施の形態】
以下に、本発明透明包装容器の実施の形態を添付図面を参照して説明する。
【００１７】
透明包装容器１は透明材料により形成された本体部２と台紙３、３とから成り、本体部２は収納部４と周縁部５により構成されている。
【００１８】
収納部４は一方に開口された一方向に稍長い箱状を為し、内部に図示しない被包装物が収納される。尚、図示した透明包装容器１において収納部４は方形に形成したものを示しているが、これは、収納される被包装物の形状に適合させて種々の形状をとるものである。そして、収納部４の開口縁６からは外方に張り出した周縁部５が一体に設けられている。
【００１９】
上記周縁部５のうち上辺部５ｕ（本明細書において方向を示すときは、図１における右上方を上方、左下方を下方、右下方を右方、左上方を左方、下方を前方、上方を後方として示す。）を除く３つの辺部、即ち、左右両側辺部５ｓ、５ｓ及び下辺部５ｄにそれぞれ、折曲代７ｓ、７ｓ及び７ｄ、７ｄが形成されている。これら折曲代７ｓ、７ｓ、７ｄ、７ｄは周縁部５の外縁から外周縁部５の後面に重なるように折り曲げられて形成される。具体的には、あらかじめ周縁部５の外縁に連続して形成しておいた折曲代用突出片をその周縁部５との境界部をニクロム線ヒーターで加熱軟化させると共に該軟化した部分で折り曲げて形成する。尚、これら折曲代７ｓ、７ｓ、７ｄ、７ｄは先端部、即ち、周縁部５に連続した部分と反対側の部分が基部、即ち、周縁部５に連続した部分よりやや短くなるようにその両端縁が傾斜縁とされている。
【００２０】
上記周縁部５のうち上辺部５ｕのほぼ中央部には吊り下げ用の吊り下げ孔８が形成され、該吊り下げ孔８の開口縁の全周に後方へ突出した嵌入片８ａが形成されている。
【００２１】
２枚の台紙３ｆ、３ｂが重ね合わされている。具体的には、一枚の台紙用シート材を２つ折りにして２枚の重ね合わせられた台紙３ｆ、３ｂとしている。台紙３ｆ、３ｂは上記周縁部５の外形状と略同じ大きさの長方形状を為し、後側の台紙３ｂの左右両側辺部の中央よりやや上方寄りの位置から上端近くにかけて切り込み９、９が形成され、これによって係合片１０、１０が形成されている。
【００２２】
上記切り込み９、９は台紙３ｂの側縁に沿って真っ直ぐ上下に延びる垂直部分９ａ、９ａと該部分９ａ、９ａの下端から内方、即ち、右側のものにあっては左方やや下方に向かって、また、左側のものにあっては右方やや下方に向かって、斜めに延びる下側部分９ｂ、９ｂとから成り、このような切り込み９、９によって係合片１０、１０が形成される。
【００２３】
また、台紙３ｆ、３ｂの下端の連結部には挿入切り込み１１、１１が形成されている。
【００２４】
更に、台紙３ｆ、３ｂの上端部には本体部２に形成した吊り下げ孔８とほぼ同形状の吊り下げ孔１２、１２が形成されている。
【００２５】
しかして、本体部２と台紙３ｆ、３ｂとの結合は以下のようにして為される。
【００２６】
台紙３ｆ、３ｂの左右両側縁部を本体部２の上方からその周縁部５の側片部５ｓ、５ｓと該部分に形成された折曲代７ｓ、７ｓとの間に挿入していく。そして、折曲代７ｓ、７ｓを後側台紙３ｂの切り込み９の下側部分９ｂ、９ｂから係合片１０、１０と前側台紙３ｆとの間に挿入していく。そして、最後に、下辺部５ｄの折曲代７ｄ、７ｄを挿入切り込み１１、１１から２枚の台紙３ｆ、３ｂの間に挿入し、且つ、本体部２の吊り下げ孔８の開口縁に形成した嵌入片８ａを台紙３ｆ、３ｂの吊り下げ孔１２、１２に内嵌する。
【００２７】
以上のようにして、本体部２と台紙３ｆ、３ｂとが結合されて透明包装容器１が形成される。そして、このような透明包装容器１にあっては、側辺部５ｓ、５ｓに形成された折曲代７ｓ、７ｓは後側台紙３ｂの係合片１０、１０の前側に位置され、また、下辺部５ｄに形成された折曲代７ｄ、７ｄは２枚の台紙３ｆ、３ｂの間に挟まれた状態で位置されるので、これら折曲代７ｓ、７ｓ、７ｄ、７ｄが周縁部５から浮き上がることが無く、折曲代の周縁部からの浮き上がりに起因する問題、即ち、台紙が本体部から外れやすくなり包装の信頼性が損なわれるとか、多数のものを箱詰めしたり又は多数が箱詰めされているものを取り出したりする際に、隣接している透明包装容器の折曲代同士が引っかかって、折曲代が破損したり、又は、透明包装容器が途中でつかえたりするという問題が解消される。
【００２８】
上記透明包装容器１によって包装される被包装物に関する保証書１３が上記切り込み９から挿入可能な大きさに折り畳み、切り込み９から係合片１０の内側に挿入された折曲代７ｓと係合片１０との間に挿入し、その一端部１３ａを前側に折り曲げて台紙３ｂの側縁から２枚の台紙３ｆ、３ｂの間に位置させる。そして、台紙３ｂの後面のうち上記保証書１３が挿入されている係合片１０が位置している部分の近傍に保証書が在中している旨を示す表示１４、例えば、「保証書」なる文字を表示する。
【００２９】
従って、販売店において、保証書に販売の日付を記入し且つ押印するときに、包装を解くことなく保証書への販売日付の記入や押印をすることが出来、販売店における保証書処理の手間が簡単になる。尚、当該箇所に保証書が存在する旨の表示は、上記したように、台紙３ｂの後面ではなく保証書に直接表示しても良いし、又は本体部２の折曲代７ｓのうち保証書１３の一端部１３ａが位置している箇所の近傍に保証書が存在する旨の表示をするようにしても良い。要は、販売店において、保証書１３を速やかに見つけだすことが出来るような表示を行えばよい。
【００３０】
また、上記透明包装容器１においては、本体部２に形成した吊り下げ孔８の開口縁に形成した嵌入片８ａを台紙３ｆ、３ｂに形成した吊り下げ孔１２、１２に内嵌したので、これだけで台紙３ｆ、３ｂが本体部２から脱落してしまうのを防止することが出来、本体部と台紙とを例えばホチキスの爪で綴じるというような手段を講じる必要がない。
【００３１】
尚、上記した透明包装容器１においては、台紙を２枚重ねとしたが、台紙は１枚であってもかまわない。ただし、台紙を２枚重ねとすることによって、折曲代が２枚の台紙の間に挟持された状態で位置し、折曲代の位置が安定すると共に、折曲代が前側から見えることが無く、見栄えが良くなる。
【００３２】
また、台紙を２枚重ねとする場合、上記実施の態様に示したように、一枚のシート材を２つ折りにするものに限らず、別個にシート材で形成した２枚の台紙を重ね合わせて使用しても良い。しかしながら、下辺部５ｄに形成した折曲代７ｄ、７ｄの浮き上がりを防止するには、一枚のシート材を途中で折り重ねて２枚構成の台紙３ｆ、３ｂとし、その連結部に折曲代７ｄ、７ｄを２枚の台紙３ｆ、３ｂの間に挿入するための挿入切り込み１１、１１を形成するのがよい。
【００３３】
【発明の効果】
以上に記載したところから明らかなように、本発明透明包装容器は、透明材料により形成され一方に開口され被包装物を収納する収納部を有する本体部と、収納部の開口を覆う台紙とを備え、本体部の周縁部の４つの辺部のうち１の辺部を除く３つの辺部に折り重ねた折曲代と周縁部との間に台紙の周縁部を挿入して包装用空間を形成する透明包装容器であって、上記周縁部の上記１の辺部のほぼ中央部に形成された孔の開口縁の全周に後方へ突出した嵌入片が形成され、該嵌入片を上記台紙に形成された吊り下げ孔に内嵌させ、上記台紙の周縁部に切り込みを設けて係合片を形成し、上記折曲代の一部を上記切り込みから係合片の内側に挿入して台紙の周縁部の本体部側に位置させ、上記台紙の下端の連結部に挿入切り込みが形成され、該挿入切り込みに上記辺部の折曲代が挿入されることを特徴とする。
【００３４】
従って、折曲代の浮き上がりが防止されると共に、台紙の本体部からの脱落が防止される。そのため、折曲代の浮き上がりに起因する問題、即ち、台紙が本体部から外れやすくなり包装の信頼性が損なわれるとか、多数のものを箱詰めしたり又は多数が箱詰めされているものを取り出したりする際に、隣接している透明包装容器の折曲代同士が引っかかって、折曲代が破損したり、又は、透明包装容器が途中でつかえたりするという問題が解消される。これによって、包装の信頼性が高くなる。
【００３５】
また、請求項２に記載した発明にあっては、台紙を２枚重ね状に形成し、上記切り込み及び係合片を上記折曲代側に位置した台紙に形成したので、折曲代は２枚の台紙の間に挟持された状態で位置し、折曲代の位置が安定すると共に、折曲代が前側から見えてしまうことが無く、見栄えが良くなる。
【００３６】
更に、請求項３に記載した発明にあっては、本体部の周縁部の４辺部のうち１辺部を除く３つの辺部に折曲代が形成され、折曲代が形成されていない１辺部に隣接した２辺部に形成された折曲代が台紙に形成された切り込みに挿入され、残りの１辺部に形成された折曲代の少なくとも一部が２枚の台紙の間に挟まれるように位置したので、折曲代が形成された辺部すべてにおいて折曲代の浮き上がりが防止され、より信頼性が高くなる。
【００３７】
更にまた、請求項４及び請求項５に記載した発明にあっては、係合片の内側に挿入された折曲代と係合片との間から被包装物に関する保証書を２枚の台紙の間に挿入し、該保証書の一部を該保証書の一部を折曲代側の台紙の折曲代側に位置させたので、包装を解くことなしに保証書を取り出すことが出来、販売店における保証書への記入や押印の作業が容易となる。
【００３８】
更に、請求項６及び請求項７に記載した発明にあっては、係合片が形成された台紙の折曲代側の面のうち上記保証書が挿入された部位の近傍に保証書が在中していることを示す表示を付したので、販売店において、保証書の所在位置を速やかに知ることが出来る。
【００３９】
尚、上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【図１】図２乃至図８と共に本発明透明包装容器の実施の形態を示すものであり、本図は後面側から見た斜視図である。
【図２】図１のＩＩ−ＩＩ線に沿う拡大断面図である。
【図３】図１のＩＩＩ−ＩＩＩ線に沿う拡大断面図である。
【図４】図１のＩＶ−ＩＶ線に沿う拡大断面図である。
【図５】分解斜視図である。
【図６】図７及び図８と共に本体部と台紙との結合手順を示すものであり、本図は結合初期の状態を示す斜視図である。
【図７】側辺部の折曲代を係合片の内側に挿入し始めた状態を示す斜視図である。
【図８】下辺部の折曲代を２枚の台紙の間に挿入し始めた状態を示す斜視図である。
【図９】図１０及び図１１と共に従来の透明包装容器の一例を示すものであり、本図は斜視図である。
【図１０】背面図である。
【図１１】本体部の背面図である。
【符号の説明】
１…透明包装容器、２…本体部、３ｆ…台紙、３ｂ…切り込み及び係合片が形成された台紙、４…収納部、５…周縁部、５ｕ…折曲代が形成されない辺部（１の辺部）、５ｓ…切り込みから挿入される折曲代が形成される辺部、５ｄ…残りの辺部、７ｓ…辺部５ｓに形成された折曲代、７ｄ…辺部５ｄに形成された折曲代、８…吊り下げ孔（孔）、８ａ…嵌入片、９…切り込み、１０…係合片、１１…挿入切り込み、１２…吊り下げ孔、１３…保証書、１４…表示
【図１】
0003852167.tif 000002
【図２】
0003852167.tif 000003
【図３】
0003852167.tif 000004
【図４】
0003852167.tif 000005
【図５】
0003852167.tif 000006
【図６】
0003852167.tif 000007
【図７】
0003852167.tif 000008
【図８】
0003852167.tif 000009
【図９】
0003852167.tif 000010
【図１０】
0003852167.tif 000011
【図１１】
0003852167.tif 000012